(57)【要約】【課題】細かい金型調整をしなくても、筒状体外壁面のレール及びスイッチ穴部内壁面の溝の位置を高精度に維持することのできるプッシュボタンスイッチ構造を提供する。【解決手段】キャップ１６を押圧することにより、スイッチ穴部１４内をプッシュボタンスイッチ本体が往復動するプッシュボタンスイッチ構造であって、第１筒状体構成部材１１には各外壁面に筒状体構成部材１１の軸方向に沿ってそれぞれレール１７〜１９が形成され、第２筒状体構成部材１２には中央外壁面に筒状体構成部材１２の軸方向に沿ってレール２０が形成され、第１筒状体構成部材１１の外壁面には、レール１７〜１９が嵌合する溝２４〜２６を有する断面略コ字状のベース部材１３が設けられ、第１筒状体構成部材１１はベース部材１３と共にスイッチ穴部１４に挿入され、第２筒状体構成部材１２は、レール２０がスイッチ穴部１４内壁面に形成された溝２７に嵌合してスイッチ穴部１４に挿入される。【選択図】図１
2008181761.tif 000002
【特許請求の範囲】
【請求項１】
断面矩形の筒状体と、該筒状体の前端に取り付けられたキャップとを備え、前記筒状体はスイッチ穴部内に嵌合され、前記キャップを押圧することにより、前記筒状体が前記スイッチ穴部内をその軸方向に沿って往復動するプッシュボタンスイッチ構造であって、
前記筒状体は、その軸方向に沿って分割されて断面コ字状の２つの筒状体構成部材からなり、
前記２つの筒状体構成部材のうち、一方の筒状体構成部材にはその各外壁面に当該筒状体構成部材の軸方向に沿ってそれぞれレールが形成され、他方の筒状体構成部材にはその中央の外壁面に当該筒状体構成部材の軸方向に沿ってレールが形成され、
前記一方の筒状体構成部材の外壁面には、その外壁面の前記各レールが嵌合した溝を有する断面略コ字状のベース部材が設けられ、前記一方の筒状体構成部材は前記ベース部材と共に前記スイッチ穴部に挿入され、
前記他方の筒状体構成部材は、その中央の外壁面の前記レールが前記スイッチ穴部内壁面に形成された溝に嵌合して、前記スイッチ穴部に挿入されていることを特徴とするプッシュボタンスイッチ構造。
【請求項２】
前記一方の筒状体構成部材には突起が、前記他方の筒状体構成部材には穴部がそれぞれ形成され、前記突起が前記穴部に係止されることにより、前記両筒状体構成部材は互いに結合されることを特徴とする請求項１に記載のプッシュボタンスイッチ構造。
【発明の詳細な説明】
【技術分野】
【０００１】
本発明は、人が指で押圧操作することにより、オン／オフが順次繰り返される構成のプッシュボタンスイッチに関する。
【背景技術】
【０００２】
従来より、筒状体と、その筒状体の前端に取り付けられたキャップとを備え、キャップを押圧して筒状体をスイッチ穴部内で往復動させることにより、オン／オフが順次繰り返されるプッシュボタンスイッチが知られている（例えば、特許文献１参照）。
【０００３】
上記プッシュボタンスイッチとして、図４に示すようなものがある。このプッシュボタンスイッチ１は、断面矩形の筒状体２と、筒状体２の前端に取り付けられたキャップ３とを備えており、筒状体２はスイッチ穴部４内に嵌合され、人が指でキャップ３を押圧することにより、筒状体２がスイッチ穴部４内をその軸方向に沿って往復動する構成となっている。
【０００４】
このようなプッシュボタンスイッチ１においては、筒状体２の４つの外壁面２Ａにそれぞれレール２Ｂが形成され、一方、スイッチ穴部４の内壁面４Ａには前記レール２Ｂに対応させて溝４Ｂが設けられ、筒状体２をスイッチ穴部４内に挿入する際には各レール２Ｂを各溝４Ｂに嵌合させることにより、筒状体２つまりプッシュボタンスイッチ本体が上下方向及び左右方向にずれるのを防止するよう構成されている。
【特許文献１】実公平４−３６５１０号公報
【発明の開示】
【発明が解決しようとする課題】
【０００５】
ところで、筒状体２や、筒状体２が嵌合されるスイッチ穴部４は金型を用いて樹脂成形されている。そして、プッシュボタンスイッチ１の種類に応じて筒状体２の幅Ｈ（図４参照）は様々なサイズに設定される。
【０００６】
しかしながら、通常、筒状体外壁面２Ａのレール２Ｂとスイッチ穴部内壁面４Ａの溝４Ｂ間の隙間は、ガタ付き防止の観点から０.０２５〜０.０７５ｍｍに規制されており、上記のように筒状体２の幅Ｈが様々なサイズに設定されていると、サイズごとにレール２Ｂと溝４Ｂについて細かい金型調整が必要となって非常に煩わしい。
【０００７】
本発明の課題は、細かい金型調整をしなくても、筒状体外壁面のレール及びスイッチ穴部内壁面の溝の位置を高精度に維持することのできるプッシュボタンスイッチ構造を提供することにある。
【課題を解決するための手段】
【０００８】
上記課題を解決するために、請求項１に記載の発明は、断面矩形の筒状体と、該筒状体の前端に取り付けられたキャップとを備え、前記筒状体はスイッチ穴部内に嵌合され、前記キャップを押圧することにより、前記筒状体が前記スイッチ穴部内をその軸方向に沿って往復動するプッシュボタンスイッチ構造であって、前記筒状体は、その軸方向に沿って分割されて断面コ字状の２つの筒状体構成部材からなり、前記２つの筒状体構成部材のうち、一方の筒状体構成部材にはその各外壁面に当該筒状体構成部材の軸方向に沿ってそれぞれレールが形成され、他方の筒状体構成部材にはその中央の外壁面に当該筒状体構成部材の軸方向に沿ってレールが形成され、前記一方の筒状体構成部材の外壁面には、その外壁面の前記各レールが嵌合した溝を有する断面略コ字状のベース部材が設けられ、前記一方の筒状体構成部材は前記ベース部材と共に前記スイッチ穴部に挿入され、前記他方の筒状体構成部材は、その中央の外壁面の前記レールが前記スイッチ穴部内壁面に形成された溝に嵌合して、前記スイッチ穴部に挿入されていることを特徴としている。
【０００９】
上記構成によれば、筒状体が２つの筒状体構成部材で構成され、一方の筒状体構成部材にはその３つの外壁面の各々にレールを形成するとともに、前記各レールが嵌合する溝を有する断面略コ字状のベース部材を予め設けて、これら一方の筒状体構成部材及びベース部材を標準形状としておけば、一方の筒状体構成部材のレール及びベース部材の溝については金型調整を行う必要が無く、他方の筒状体構成部材のレール及びそれに対しての溝についてだけ金型調整を行えばよい。
【００１０】
そして、上記構成によれば、プッシュボタンの種類に応じて、他方の筒状体構成部材の外壁面（中央部以外の外壁面）のサイズが異なっている場合でも、同様に、他方の筒状体構成部材のレール及びそれに対しての溝（つまり、スイッチ穴部内壁面の溝）についてだけ金型調整を行えばよい。
【００１１】
また、請求項２に記載の発明は、請求項１において、前記一方の筒状体構成部材には突起が、前記他方の筒状体構成部材には穴部がそれぞれ形成され、前記突起が前記穴部に係止されることにより、前記両筒状体構成部材は互いに結合されることを特徴としている。
【００１２】
上記構成によれば、一方の筒状体構成部材と他方の筒状体構成部材とをワンタッチで結合することができる。
【発明の効果】
【００１３】
本発明によれば、細かい金型調整をしなくても、筒状体外壁面のレール及びスイッチ穴部内壁面の溝の位置を高精度に維持することのできるプッシュボタンスイッチ構造を得ることができる。
【発明を実施するための最良の形態】
【００１４】
以下、本発明の実施例を図面に従って説明する。
【実施例】
【００１５】
図１は、本発明に係るプッシュボタンスイッチ１０の分解斜視図である。図１に示すように、このプッシュボタンスイッチ１０は、断面コ字状の第１筒状体構成部材（一方の筒状体構成部材）１１と、断面コ字状の第２筒状体構成部材（他方の筒状体構成部材）１２と、第１筒状体構成部材１１の外側に設けられるベース部材１３と、第１筒状体構成部材１１及び第２筒状体構成部材１２がベース部材１３と共に挿入されるスイッチ穴部１４を有するハウジング１５と、第１筒状体構成部材１１及び第２筒状体構成部材１２の前端に取り付けられるキャップ１６とを備えている。
【００１６】
第１筒状体構成部材１１には、３つの外壁面１１Ａ〜１１Ｃに当該筒状体構成部材１１の軸方向に沿ってレール１７〜１９がそれぞれ形成されている。第２筒状体構成部材１２には、３つの外壁面１２Ａ〜１２Ｃのうち中央の外壁面１２Ｂに当該筒状体構成部材１２の軸方向に沿ってレール２０がそれぞれ形成されている。
【００１７】
また、第１筒状体構成部材１１の外壁面１１Ａ，１１Ｃの側端中央には横方向に張り出した凸部２１，２１が設けられ、このうち、外壁面１１Ａの凸部２１には上方向に向かって突起２２が、外壁面１１Ｃの凸部２１には下方向に向かって突起２２がそれぞれ形成されている。
【００１８】
一方、第２筒状体構成部材１２の外壁面１２Ａ，１２Ｃの中央部には、前記突起２２に対応させて穴２３が設けられている。なお、図１においては、外壁面１２Ｃに設けられた穴２３は省略されている。
【００１９】
ベース部材１３は断面略コ字状を成しており、その３つの内壁面には、第１筒状体構成部材１１のレール１７〜１９に対応させて、つまり当該ベース部材１３の軸方向に沿って溝２４〜２６が設けられている。
【００２０】
ハウジング１５は、スイッチ穴部１４を有するため、断面が略矩形の筒型を成している。スイッチ穴部１４は、上下方向の幅が一側では広く、他側では狭くなっており、スイッチ穴部１４の上下略中央には段付き部１４Ａが形成されている。また、スイッチ穴部１４の他側内壁面には、第２筒状体構成部材１２の外壁面１２Ｂに形成されたレール２０に対応させて、つまりハウジング１５の軸方向に沿って溝２７が設けられている。
【００２１】
キャップ１６は矩形を成し、第１筒状体構成部材１１及び第２筒状体構成部材１２の前端の形状に対応させて形成されている。
【００２２】
図２は、第１筒状体構成部材１１の外壁面１１Ａ〜１１Ｃにベース部材１３を組み付けたときの様子を示す図であり、図３は、図２のＡ−Ａ線に沿った断面図である。図２及び図３に示すように、第１筒状体構成部材１１における外壁面１１Ａのレール１７がベース部材１３の溝２４に、外壁面１１Ｂのレール１８がベース部材１３の溝２５に、外壁面１１Ｃのレール１９がベース部材１３の溝２６にそれぞれ嵌合されている。
【００２３】
次に、本実施例におけるプッシュボタンスイッチ１の組み立て手順について、図１を用いて説明する。
【００２４】
先ず、矢印Ｂのように、第２筒状体構成部材１２を第１筒状体構成部材１に結合する。このとき、第２筒状体構成部材１２の外壁面１２Ａ，１２Ｃ中央部の穴２３に、第１筒状体構成部材１の外壁面１１Ａ，１１Ｃ側端中央部の突起２２を係合させる。これにより、第１筒状体構成部材１１と第２筒状体構成部材１２とをワンタッチで結合させることができる。
【００２５】
第１筒状体構成部材１１と第２筒状体構成部材１２とを結合させたら、矢印Ｃのように、第１筒状体構成部材１１の外壁面１１Ａ〜１１Ｃに形成されたレール１７〜１９を、ベース部材１３に形成された溝２４〜２６にそれぞれ嵌合する。また、矢印Ｄのように、第１筒状体構成部材１１及び第２筒状体構成部材１２の前端にキャップ１６を取り付ける。
【００２６】
そして、矢印Ｅのように、ベース部材１３と共に第１筒状体構成部材１１及び第２筒状体構成部材１２をハウジング１５のスイッチ穴部１４に挿入する。このとき、第１筒状体構成部材１１側つまりベース部材１３が設けられた側は、スイッチ穴部１４のうち上下方向の幅が広い方へ、第２筒状体構成部材１２側はスイッチ穴部１４のうち上下方向の幅が狭い方へ挿入する。また、第２筒状体構成部材１２側を挿入する際に、第２筒状体構成部材１２の外壁面１２Ｂに形成されたレール２０を、スイッチ穴部１４の内壁面に形成された溝２７に嵌合させる。
【００２７】
本実施例によれば、第１筒状体構成部材１１の外壁面１１Ａ〜１１Ｃにレール１７〜１９をそれぞれ形成するとともに、レール１７〜１９がそれぞれ嵌合する溝２４〜２６を有する断面略コ字状のベース部材１３を予め設けておくことにより、これら第１筒状体構成部材１１及びベース部材１３を標準形状としておけば、第１筒状体構成部材１１のレール１７〜１９及びベース部材１３の溝２４〜２６については金型調整を行う必要が無く、第２筒状体構成部材１２のレール２０及びそれに対しての溝２７（スイッチ穴部１４内壁面の溝）についてだけ金型調整を行えばよい。
【００２８】
また、本実施例によれば、プッシュボタンの種類に応じて、第２筒状体構成部材１２の外壁面１２Ａ，１２ＣのサイズＳが異なっている場合でも、同様に、第２筒状体構成部材１２のレール２０及びそれに対しての溝２７についてだけ金型調整を行えばよい。
【００２９】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。
【図面の簡単な説明】
【００３０】
【図１】本発明に係るプッシュボタンスイッチの分解斜視図である。
【図２】第１筒状体構成部材の外壁面にベース部材を組み付けたときの様子を示す図である。
【図３】図２のＡ−Ａ線に沿った断面図である。
【図４】従来技術によるプッシュボタンスイッチの分解斜視図である。
【符号の説明】
【００３１】
１０  プッシュボタンスイッチ
１１  第１筒状体構成部材（一方の筒状体構成部材）
１１Ａ〜１１Ｃ  外壁面
１２  第２筒状体構成部材（他方の筒状体構成部材）
１２Ａ〜１２Ｃ  外壁面
１３  ベース部材
１４  スイッチ穴部
１５  ハウジング
１６  キャップ
１７〜２０  レール
２２  突起
２３  穴部
２４〜２７  溝
【図１】
2008181761.tif 000003
【図２】
2008181761.tif 000004
【図３】
2008181761.tif 000005
【図４】
2008181761.tif 000006